(57)【特許請求の範囲】
【請求項１】
造形領域を覆うチャンバと、
前記造形領域に形成された材料層にレーザ光または電子ビームを照射して固化層を形成する照射装置と、
前記チャンバへ不活性ガスを供給する少なくとも１つの供給口と、
前記チャンバから前記不活性ガスを排出する少なくとも１つの排出口と、
前記供給口と接続され前記チャンバに前記不活性ガスを供給する不活性ガス供給装置と、
前記排出口と接続され前記チャンバから排出された前記不活性ガスが供給される吸込口と、前記吸込口から送られた前記不活性ガスに含まれるヒュームをプラスまたはマイナスに荷電させる荷電極を有する荷電部と、荷電させた前記ヒュームを捕集する集塵部と、前記供給口と接続され前記ヒュームが除去された前記不活性ガスを前記チャンバに返送する返送口と、を含むヒュームコレクタと、
前記排出口と前記荷電部の間に接続され、前記排出口から排出される前記不活性ガスに含まれる酸素濃度よりも高い酸素濃度を有する調整ガスを前記ヒュームコレクタに供給する酸素濃度調整装置と、を備える、積層造形装置。
【請求項２】
前記不活性ガスは、窒素である、請求項１に記載の積層造形装置。
【請求項３】
前記調整ガスは、前記不活性ガスと酸素を含む酸素含有気体との混合ガスである、請求項１または請求項２に記載の積層造形装置。
【請求項４】
前記酸素含有気体は、空気である、請求項３に記載の積層造形装置。
【請求項５】
前記酸素濃度調整装置は、
前記不活性ガス供給装置と接続された第１の流量制御弁と、
前記酸素含有気体を供給する酸素含有気体源と接続された第２の流量制御弁と、
前記第１の流量制御弁、前記第２の流量制御弁および前記ヒュームコレクタに接続され、前記不活性ガスおよび前記酸素含有気体を混合して生成した前記調整ガスを前記ヒュームコレクタに供給する継手と、を含む、請求項３または請求項４のいずれか１項に記載の積層造形装置。
【請求項６】
前記調整ガスの酸素濃度は、前記ヒュームが着火する限界酸素濃度よりも低い、請求項１から請求項５のいずれか１項に記載の積層造形装置。
【請求項７】
前記ヒュームコレクタと接続される酸素濃度計をさらに備える、請求項１から請求項６のいずれか１項に記載の積層造形装置。
【請求項８】
前記酸素濃度計は前記チャンバとも接続される、請求項７に記載の積層造形装置。
【請求項９】
前記酸素濃度計で検出された酸素濃度が所定の閾値以上であるとき、前記荷電極への電圧印加を停止させる、請求項７または請求項８の積層造形装置。
【発明の詳細な説明】
【技術分野】
【０００１】
この発明は、積層造形装置に関する。
【背景技術】
【０００２】
金属の積層造形装置においては、所定の造形領域に金属材料からなる材料層を形成することと、当該材料層にレーザ光または電子ビームを照射して固化層を形成することを繰り返し、所定数の固化層を積層して所望の三次元造形物を形成する。
【０００３】
このような積層造形装置においては、金属材料の変質を防止し適切な造形を行うため、造形領域は密閉されたチャンバで覆われ、チャンバ内に所定濃度の不活性ガスが充満された上で造形が行われる。
【０００４】
一方、材料層にレーザ光または電子ビームを照射して、材料層を焼結または溶融させて固化層を形成する際、ヒュームとよばれる金属蒸気が発生する。以下、焼結および溶融を含んで固化という。ヒュームがチャンバ内に存在すると、ヒュームがレーザ光または電子ビームを遮蔽したり、チャンバの上面に設けられるウインドウ等の光学部品にヒュームが付着したりするなどして、造形品質の低下を引き起こす可能性がある。
【０００５】
そのため、従来の積層造形装置においては、チャンバに不活性ガスを供給するとともに、チャンバ内のヒュームを含む不活性ガスを排出して、チャンバ内を清浄な不活性ガス雰囲気に維持している。また、排出した不活性ガスを再利用するため、チャンバから排出された不活性ガスはヒュームコレクタへと送られ、ヒュームが除去された上でチャンバに返送されることが望ましい。
【０００６】
ヒュームコレクタとしては、例えば電気集塵機が用いられる。電気集塵機であるヒュームコレクタは、特許文献１に開示されるように、コロナ放電によってヒュームをプラスまたはマイナスに荷電させ、荷電したヒュームをクーロン力によって捕集する。このようなヒュームコレクタにより、不活性ガス内のヒュームが除去される。
【先行技術文献】
【特許文献】
【０００７】
【特許文献１】特許第６０９５１４７号公報
【発明の概要】
【発明が解決しようとする課題】
【０００８】
金属材料の変質を防ぐという観点によれば、チャンバ内の酸素濃度は極力低い方がよい。そのため、従来の積層造形装置においてはチャンバの気密性を上げる等して、よりチャンバ内の酸素濃度が低くなるように構成されていた。しかしながら、酸素濃度が極端に低い雰囲気下では、電気集塵機であるヒュームコレクタにおいてコロナ放電の発生が不安定となり、正常にヒュームの除去が行えなかったり、エラー停止したりすることが分かった。
【０００９】
本発明はこのような事情に鑑みてなされたものであり、チャンバ内を造形に適する低酸素濃度の不活性ガス雰囲気に保つとともに、ヒュームコレクタ内をコロナ放電が適正に行える程度の酸素濃度に調整する積層造形装置を提供することを主たる目的とするものである。
【課題を解決するための手段】
【００１０】
本発明によれば、造形領域を覆うチャンバと、造形領域に形成された材料層にレーザ光または電子ビームを照射して固化層を形成する照射装置と、チャンバへ不活性ガスを供給する少なくとも１つの供給口と、チャンバから不活性ガスを排出する少なくとも１つの排出口と、供給口と接続されチャンバに不活性ガスを供給する不活性ガス供給装置と、排出口と接続されチャンバから排出された不活性ガスが供給される吸込口と、吸込口から送られた不活性ガスに含まれるヒュームをプラスまたはマイナスに荷電させる荷電極を有する荷電部と、荷電させたヒュームを捕集する集塵部と、供給口と接続されヒュームが除去された不活性ガスをチャンバに返送する返送口と、を含むヒュームコレクタと、排出口と荷電部の間に接続され、排出口から排出される不活性ガスに含まれる酸素濃度よりも高い酸素濃度を有する調整ガスをヒュームコレクタに供給する酸素濃度調整装置と、を備える、積層造形装置が提供される。
【発明の効果】
【００１１】
本発明に係る積層造形装置は、不活性ガス供給装置によってチャンバ内に不活性ガスを供給するとともに、電気集塵機であるヒュームコレクタの上流側から、チャンバから排出される不活性ガスに含まれる酸素濃度よりも高い酸素濃度を有する調整ガスを供給するように構成される。このようにして、チャンバ内が低酸素濃度の不活性ガス雰囲気に保たれる一方で、ヒュームコレクタ内の酸素濃度が電気集塵に適した濃度に調整される。ひいては、高精度の三次元造形物の造形に適した環境に積層造形装置が維持される。
【図面の簡単な説明】
【００１２】
【図１】本実施形態の積層造形装置の概略構成図である。
【図２】照射装置の概略構成図である。
【図３】汚染防止装置の拡大図である。
【図４】ヒュームコレクタの概略構成図である。
【図５】酸素濃度調整装置の拡大図である。
【図６】排気装置の拡大図である。
【発明を実施するための形態】
【００１３】
以下、図面を用いて本発明の実施形態について説明する。以下に示す実施形態中で示した各種特徴事項は、互いに組み合わせ可能である。
【００１４】
図１に示すように、本実施形態の積層造形装置は、チャンバ１１と、材料層形成装置３と、照射装置４と、汚染防止装置５と、不活性ガス給排機構と、を備える。
【００１５】
チャンバ１１は、不活性ガスの給排経路を除いて実質的に密閉されるように構成され、所望の三次元造形物が形成される領域である造形領域Ｒを覆う。
【００１６】
材料層形成装置３が、チャンバ１１内に設けられる。材料層形成装置３は、造形領域Ｒを有するベース台３１と、ベース台３１上に配置され水平１軸方向に移動可能に構成されたリコータヘッド３３と、を含む。リコータヘッド３３の両側面にはそれぞれブレードが設けられる。リコータヘッド３３は、不図示の材料供給装置から材料粉体が供給され、内部に収容した材料粉体を底面から排出しながら水平１軸方向に往復移動する。このとき、ブレードは排出された材料粉体を平坦化して材料層２３を形成する。造形領域Ｒには、造形テーブル駆動装置３７により鉛直方向に移動可能な造形テーブル３５が設けられる。積層造形装置の使用時には、造形テーブル３５上にベースプレート２１が配置され、ベースプレート２１上に材料層２３が形成される。
【００１７】
照射装置４が、チャンバ１１の上方に設けられる。本実施形態の照射装置４は、造形領域Ｒ上に形成される材料層２３の所定箇所にレーザ光Ｌを照射して、照射位置の材料粉体を焼結または溶融して固化層２５を形成する。図２に示すように、照射装置４は、光源４１と、コリメータ４３と、フォーカス制御ユニット４５と、ガルバノスキャナと、を含む。ガルバノスキャナは、Ｘ軸ガルバノミラー４７およびＹ軸ガルバノミラー４９と、Ｘ軸ガルバノミラー４７およびＹ軸ガルバノミラー４９を回転させるアクチュエータと、を有する。
【００１８】
光源４１はレーザ光Ｌを生成する。ここで、レーザ光Ｌは、材料層２３を可能なものであればその種類は限定されず、例えば、ＣＯ２レーザ、ファイバレーザまたはＹＡＧレーザである。コリメータ４３は、光源４１より出力されたレーザ光Ｌを平行光に変換する。フォーカス制御ユニット４５は、光源４１より出力されたレーザ光Ｌを集光し所望のスポット径に調整する。２軸のガルバノスキャナは、光源４１より出力されたレーザ光Ｌを２次元走査する。具体的に、Ｘ軸ガルバノミラー４７およびＹ軸ガルバノミラー４９は、不図示の制御装置から入力される回転角度制御信号の大きさに応じて回転角度が制御され、それぞれＸ軸方向およびＹ軸方向にレーザ光Ｌを走査させる。
【００１９】
Ｘ軸ガルバノミラー４７およびＹ軸ガルバノミラー４９を通過したレーザ光Ｌは、チャンバ１１の上面に設けられたウインドウ１２を透過して造形領域Ｒに形成された材料層２３に照射される。ウインドウ１２は、レーザ光Ｌを透過可能な材料で形成される。例えば、レーザ光ＬがファイバレーザまたはＹＡＧレーザの場合、ウインドウ１２は石英ガラスで構成可能である。
【００２０】
なお、照射装置４は、例えば電子ビームを照射して材料層２３を固化させて固化層２５を形成するものであってもよい。例えば、照射装置４は、電子を放出するカソード電極と、電子を収束して加速するアノード電極と、磁場を形成して電子ビームの方向を一方向に収束するソレノイドと、被照射体である材料層２３と電気的に接続されカソード電極との間に電圧を印加するコレクタ電極と、を含むよう構成されてもよい。
【００２１】
以上に説明した材料層形成装置３および照射装置４により、所望の三次元造形物が造形される。まず、ベースプレート２１を載置した状態で造形テーブル３５の高さを適切な位置に調整する。次にリコータヘッド３３を造形領域Ｒの図１における左側から右側に移動させ、ベースプレート２１上に１層目の材料層２３を形成する。次に、１層目の材料層２３の所定位置にレーザ光Ｌを照射し、１層目の固化層２５を形成する。同様に、造形テーブル３５の高さを材料層２３の１層分下げ、リコータヘッド３３を造形領域Ｒの図１における右側から左側に移動させることによって、１層目の固化層２５上に２層目の材料層２３を形成する。次に、２層目の材料層２３の所定位置にレーザ光Ｌを照射して２層目の固化層２５を形成する。１層目の固化層２５と２層目の固化層２５は、互いに固着される。以上の工程を繰り返すことによって、３層目以降の固化層２５が順次形成される。このようにして、材料層２３と固化層２５の形成が繰り返され、所望の三次元造形物が造形される。
【００２２】
チャンバ１１の上面には、ウインドウ１２を覆うように汚染防止装置５が設けられる。図３に示すように、汚染防止装置５は、円筒状の筺体５１と、筺体５１内に配置された円筒状の拡散部材５２を備える。筺体５１と拡散部材５２の間に不活性ガス供給空間５３が設けられる。また、筺体５１の底面には、拡散部材５２の内側に開口部５４が設けられる。拡散部材５２には多数の細孔５５が設けられており、不活性ガス供給空間５３に供給された清浄な不活性ガスは細孔５５を通じて清浄室５６に充満される。そして、清浄室５６に充満された清浄な不活性ガスは、開口部５４を通じて汚染防止装置５の下方に向かって噴出される。汚染防止装置５は、ウインドウ１２が固化層２５の形成時に発生するヒュームによって汚染されることを防止するとともに、レーザ光Ｌの照射経路を横断しようとするヒュームを照射経路から排除することを助ける。
【００２３】
ここで、本実施形態の不活性ガス給排機構が説明される。不活性ガス給排機構は、チャンバ１１内に所定濃度の不活性ガスを充満させるとともに、チャンバ１１からヒュームを含んだ不活性ガスを排出し、排出された不活性ガスからヒュームの大部分を除去した上でチャンバ１１内に返送する。不活性ガス給排機構は、不活性ガス供給装置６と、ヒュームコレクタ７と、酸素濃度調整装置８と、排気装置９と、を備える。
【００２４】
チャンバ１１には、不活性ガス供給装置６から供給される不活性ガスおよびヒュームコレクタ７から返送される不活性ガスの供給口が、１つ以上設けられる。本実施形態では、供給口として、第１の供給口１４および第２の供給口１５が設けられる。第１の供給口１４は、チャンバ１１の壁面に設けられ、不活性ガス供給装置６およびヒュームコレクタ７と接続される。第１の供給口１４を介して、不活性ガス供給装置６から所定濃度の不活性ガスがチャンバ１１に供給される。また、第１の供給口１４を介して、ヒュームコレクタ７によってヒュームの大部分が除去された不活性ガスがチャンバ１１に返送される。第２の供給口１５は、チャンバ１１の上面に設けられ、不活性ガス供給装置６と接続される。第２の供給口１５を介して、汚染防止装置５の不活性ガス供給空間５３へと、不活性ガスが供給される。ウインドウ１２にヒュームが付着するのを防止するため、第２の供給口１５には、不活性ガス供給装置６のみ接続されることが望ましい。
【００２５】
また、チャンバ１１には、チャンバ１１からヒュームを含んだ不活性ガスをヒュームコレクタ７へと排出する排出口が、１つ以上設けられる。本実施形態では、排出口として、排出口１６が設けられる。排出口１６を介して、ヒュームを含む不活性ガスがヒュームコレクタ７へと排出される。
【００２６】
供給口および排出口の個数や位置は、上述の実施形態に限定されない。供給口および排出口は、例えば、チャンバ１１の壁面や上面、またはリコータヘッド３３等のチャンバ１１内の構成部材の任意の位置に任意の個数設けられてよい。また、不活性ガス供給装置６と接続される供給口と、ヒュームコレクタ７と接続される供給口は、別個に設けられてもよい。
【００２７】
不活性ガス供給装置６は、所定濃度の不活性ガスをチャンバ１１に供給する。不活性ガス供給装置６は、具体的に、周囲の空気から不活性ガスを取り出す不活性ガス発生装置、または不活性ガスが貯留されたガスボンベである。不活性ガス供給装置６から供給される不活性ガスは、極力高純度のものであることが望ましく、換言すれば、不活性ガス供給装置６から供給される不活性ガス中の酸素濃度は、好ましくは約０％である。本実施形態では、不活性ガス供給装置６として、約９９．９９％の濃度の窒素ガスを生成可能に構成された、ＰＳＡ式の窒素発生装置が使用される。なお、不活性ガスとは、金属材料でなる材料層２３、金属材料が固化してなる固化層２５、および酸素を含む他の気体と実質的に反応しないガスをいい、例えば窒素である。
【００２８】
ヒュームコレクタ７は、電気集塵機であり、チャンバ１１から排出された不活性ガスからヒュームの大部分を除去した上で、チャンバ１１に返送する。図４に示すように、ヒュームコレクタ７は、吸込口７１と、荷電部７３と、集塵部７５と、返送口７７と、を含む。吸込口７１は、排出口１６と接続され、チャンバ１１から排出された不活性ガスを荷電部７３に供給する。荷電部７３は、吸込口７１から送られた不活性ガスに含まれるヒュームをプラスまたはマイナスに荷電させる。集塵部７５は、荷電させたヒュームを捕集する。返送口７７は、第１の供給口１４と接続され、ヒュームの大部分が除去された不活性ガスをチャンバ１１に返送する。本実施形態のヒュームコレクタ７は、荷電部７３と集塵部７５とが一体に形成された一段式の電気集塵機である。すなわち、荷電部７３および集塵部７５は、所定の間隔毎に設けられた複数の荷電板７３１と、荷電板７３１に取り付けられた針形状の荷電極７３３と、荷電板７３１の間に設けられた集塵板７５１と、を有する。荷電板７３１および荷電極７３３は不図示の電圧供給手段により高圧電圧が印加され、コロナ放電によりヒュームをプラスまたはマイナスに荷電させる。集塵板７５１はアース接続され、荷電されたヒュームはクーロン力によって集塵板７５１に捕集される。なお、本実施形態のヒュームコレクタ７は、前述のように一段式の電気集塵機であるが、荷電部７３と集塵部７５とが別体として構成された二段式の電気集塵機であってもよい。
【００２９】
酸素濃度調整装置８は、排出口１６から排出される不活性ガスに含まれる酸素濃度よりも高い酸素濃度を有する調整ガスをヒュームコレクタ７に供給する。すなわち、調整ガスの酸素濃度は、不活性ガス供給装置６が供給する不活性ガス中の酸素濃度よりも高い。酸素濃度調整装置８は、ヒュームコレクタ７の上流側、すなわち、排出口１６と荷電部７３との間に接続されればよく、具体的に、排出口１６と吸込口７１とを接続する配管に接続されてもよいし、ヒュームコレクタ７の荷電部７３より上流側に接続されてもよい。前述の通り、ヒュームコレクタ７内の酸素濃度が所定の値を下回ると、荷電部７３のコロナ放電の発生が不安定となる。例えば、本実施形態のヒュームコレクタ７では、酸素濃度が約０．６ｖｏｌ％未満のとき、コロナ放電の発生が不安定となる。そこで、コロナ放電の発生が不安定となる酸素濃度よりも高い酸素濃度を有する調整ガスをヒュームコレクタ７の上流側から供給することで、コロナ放電の発生を安定させることができる。また、酸素濃度調整装置８を設けない場合と比べてチャンバ１１内の酸素濃度はわずかに上昇するが、ヒュームコレクタ７に直接調整ガスを供給するので、チャンバ１１内の酸素濃度の上昇は造形に支障が出ない範囲に抑えられる。例えば、本実施形態においては、酸素濃度が約７．０ｖｏｌ％の調整ガスをヒュームコレクタ７の上流側から供給し、ヒュームコレクタ７内の酸素濃度を約０．６ｖｏｌ％以上に調整する。このとき、チャンバ１１内の酸素濃度は、例えば、約０．７ｖｏｌ％以下となり、好ましくは約０．６ｖｏｌ％以下となる。
【００３０】
調整ガスは、不活性ガス供給装置６から供給される不活性ガスと同種の不活性ガスと、酸素含有気体との混合ガスであることが望ましい。また、酸素含有気体は、酸素を含む気体であればよいが、空気が好適である。本実施形態では、不活性ガス供給装置６から供給される不活性ガスと空気を混合して、調整ガスを生成している。
【００３１】
本実施形態の酸素濃度調整装置８が、図５に示される。酸素濃度調整装置８は、第１の流量制御弁８１と、第２の流量制御弁８２と、継手８３と、を含む。第１の流量制御弁８１および第２の流量制御弁８２は、例えばスピードコントローラまたは調整弁である。第１の流量制御弁８１は、不活性ガス供給装置６と接続され、不活性ガスの流量を調整する。第２の流量制御弁８２は、酸素含有気体を供給する酸素含有気体源１８と接続され、酸素含有気体の流量を調整する。本実施形態において、酸素含有気体源１８は、エアコンプレッサである。例えば、積層造形装置が空圧駆動の駆動装置を備えているとき、当該駆動装置にエアコンプレッサが接続される。このような場合、当該エアコンプレッサを酸素含有気体源１８として用いることができる。継手８３は、第１の流量制御弁８１、第２の流量制御弁８２およびヒュームコレクタ７にそれぞれ接続される。第１の流量制御弁８１および第２の流量制御弁８２を介して送られた不活性ガスおよび酸素含有気体は、継手８３で混合され、ヒュームコレクタ７へと送られる。
【００３２】
なお、調整ガスの酸素濃度は、ヒュームが着火する限界酸素濃度よりも低く調整されることが望ましい。例えば、金属材料がマルエージング鋼等の鉄系材料であるとき、ヒュームが着火する限界酸素濃度は約８．０ｖｏｌ％である。そのため、金属材料がマルエージング鋼等の鉄系材料であるとき、調整ガスの酸素濃度は約８．０％ｖｏｌ未満に調整される。このようにすれば、少なくともヒュームコレクタ７内の酸素濃度はヒュームが着火する限界酸素濃度未満に保たれるため、より安全に積層造形装置を構成できる。
【００３３】
なお、積層造形装置には酸素濃度を検出する酸素濃度計１３が設けられる。酸素濃度計１３は、チャンバ１１に設けられたポート１７と、ヒュームコレクタ７に設けられたポート７９とに接続される。酸素濃度計１３にヒュームが付着するのを防止するため、ポート７９はヒュームコレクタ７の下流側に設けられることが望ましい。なお、チャンバ１１とヒュームコレクタ７内の酸素濃度をそれぞれ別個に検出したい場合は、酸素濃度計１３を２つ設けてポート１７とポート７９にそれぞれ接続すればよい。酸素濃度計１３は不図示の制御装置と接続される。制御装置は、酸素濃度計１３で検出された酸素濃度が所定の閾値以上であるとき、ヒュームコレクタ７を制御して、荷電極７３３への電圧印加を停止させる。また、制御装置は、酸素濃度計１３で検出された酸素濃度が所定の閾値以上であるとき、レーザ光Ｌの照射を中断させる。本実施形態においては、酸素濃度計１３の検出値が３．０ｖｏｌ％以上のとき、荷電極７３３への電圧印加を停止させるとともに、レーザ光Ｌの照射を中断させる。このように構成することで、より安全に、高品質の積層造形が行うことができる。
【００３４】
排気装置９は、ヒュームコレクタ７によってヒュームの大部分が除去された不活性ガスを積層造形装置外に排気することで、チャンバ１１内の気圧と積層造形装置外の気圧を略均一にして、チャンバ１１からヒュームを含んだ不活性ガスが漏出することを抑制する。図６に示すように、排気装置９は、フィルタ９１と、調整弁９３と、開閉弁９５と、ファンモータ９７と、を含む。
【００３５】
フィルタ９１は、例えば、不織布フィルタとＨＥＰＡフィルタから構成され、装置外に排気される不活性ガスからヒュームを除去する。排気装置９はヒュームコレクタ７の下流側、すなわち集塵部７５と第１の供給口１４との間に接続されるので、排気装置９に送られる不活性ガスは既にヒュームの大部分が除去されている。そのため、フィルタ９１を設けることは必須ではないが、フィルタ９１により排気される不活性ガスをより清浄にすることができる。
【００３６】
調整弁９３は、例えばボールバルブであり、不活性ガスの排気量を調整する。ファンモータ９７は、排気方向の気流を形成する。調整弁９３およびファンモータ９７により、排気装置９からの時間あたりの排気量と漏出量の総和が、不活性ガス供給装置６からの時間あたりの供給量以上になるよう調整される。
【００３７】
開閉弁９５は、例えば電磁弁であり、排気のＯＮ／ＯＦＦを切り替える。不図示の制御装置は、不図示の気圧計によって測定されるチャンバ１１内の気圧と、酸素濃度計１３によって測定される酸素濃度によって開閉弁９５およびファンモータ９７を制御する。すなわち、チャンバ１１内の気圧が所定の閾値以上であり、酸素濃度が所定の閾値未満であるときのみ、開閉弁９５が開かれ、ファンモータ９７が稼働される。このようにして、造形に影響が出ない範囲で、チャンバ１１からの不活性ガスの漏出が防止される。
【００３８】
以上の通り、本発明の実施形態を説明したが、これらは、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。実施形態で示した各技術的特徴は、技術的に矛盾が生じない範囲で互いに組み合わせ可能である。これら実施形態および変形例は、発明の範囲や要旨に含まれるとともに、特許請求の範囲に記載された発明とその均等の範囲に含まれるものである。
【００３９】
例えば、積層造形装置は、切削装置をさらに備え、造形途中または造形後に固化層２５に対し切削加工を行ってもよい。例えば、切削装置は、エンドミル等の切削工具を回転させるスピンドルヘッドと、スピンドルヘッドが設けられ所望の位置に移動可能な加工ヘッドを有する。このような切削装置によれば、所定数の固化層２５を形成する度に、固化層２５の端面に対して切削加工を行うことができる。または、切削装置は、バイト等の切削工具を保持する旋回機構と、旋回機構が設けられた加工ヘッドを有する。このような切削装置によれば、造形後の積層造形物のテーブルに平行な面とテーブルに垂直で互いに垂直な２つの面に対して形削りを行い、２次加工を行う上での基準面を形成することができる。
【００４０】
また、本実施形態の酸素濃度調整装置８は、造形中は常時調整ガスの供給を行っているが、電磁弁等の開閉弁を設けて酸素濃度に応じて供給のＯＮ／ＯＦＦを切り替えてもよい。例えば、不図示の制御装置は、ヒュームコレクタ７内の酸素濃度が所定の閾値未満であるときのみ調整ガスの供給を行い、ヒュームコレクタ７内の酸素濃度が所定の閾値以上であるときは調整ガスの供給を停止するよう、開閉弁を制御してもよい。このとき、酸素濃度計１３は２つ設けられ、チャンバ１１とヒュームコレクタ７とにそれぞれ接続されることが望ましい。
【００４１】
また、本実施形態の酸素濃度調整装置８は、不活性ガス供給装置６から供給される不活性ガスと酸素含有気体源１８から供給される酸素含有気体を混合して調整ガスを生成していたが、不活性ガス供給装置６が供給する不活性ガスよりも高い酸素濃度を有する調整ガスをヒュームコレクタ７に供給できる装置であればよい。例えば、酸素濃度調整装置８は、不活性ガス供給装置６よりも低純度の不活性ガスを生成する不活性ガス発生装置、または不活性ガス供給装置６よりも低純度の不活性ガスが貯留されたガスボンベであってもよい。
【符号の説明】
【００４２】
４      照射装置
６      不活性ガス供給装置
７      ヒュームコレクタ
８      酸素濃度調整装置
１１    チャンバ
１３    酸素濃度計
１４    第１の供給口
１５    第２の供給口
１６    排出口
１８    酸素含有気体源
２３    材料層
２５    固化層
７１    吸込口
７３    荷電部
７５    集塵部
７７    返送口
８１    第１の流量制御弁
８２    第２の流量制御弁
８３    継手
７３３  荷電極
Ｌ      レーザ光
Ｒ      造形領域
【要約】      （修正有）【課題】電気集塵機であるヒュームコレクタ内の酸素濃度を適正に調整する積層造形装置の提供。【解決手段】チャンバ１１と、照射装置４と、チャンバへ不活性ガスを供給する供給口１４，１５と、チャンバから不活性ガスを排出する排出口１６と、供給口と接続されチャンバに不活性ガスを供給する不活性ガス供給装置６と、排出口と接続されチャンバから排出された不活性ガスが供給される吸込口と、吸込口から送られた不活性ガスに含まれるヒュームをプラスまたはマイナスに荷電させる荷電極を有する荷電部と、荷電させたヒュームを捕集する集塵部と、供給口と接続されヒュームが除去された不活性ガスをチャンバに返送する返送口と、を含むヒュームコレクタ７と、排出口と荷電部の間に接続され、排出口から排出される不活性ガスに含まれる酸素濃度よりも高い酸素濃度を有する調整ガスをヒュームコレクタに供給する酸素濃度調整装置と、を備える、積層造形装置。【選択図】図１【図１】
0006611151.tif 000002
【図２】
0006611151.tif 000003
【図３】
0006611151.tif 000004
【図４】
0006611151.tif 000005
【図５】
0006611151.tif 000006
【図６】
0006611151.tif 000007